(57)【要約】【課題】  スライド部材の不本意な移動を防止することにより、ラックとピニオンとの非噛み合い状態が維持されるようにして、開閉部材が挿入途中のディスクに干渉する事態を回避することができるディスク再生装置を提供する。【解決手段】  スライド部材３には、ローラ１０が原揺動態位のもとでラック３ｄとピニオン５９とが非噛み合い状態を維持するようカムフォロア５５で係止されるストッパとしての当接部３ｂを設けた。【選択図】        図３
2006252607.tif 000002
【特許請求の範囲】
【請求項１】
挿入口より挿入されるディスクの一方の面を支持するディスクガイドと、
前記ディスクの他方の面に押し当てて回転させることにより該ディスクを搬送するローラと、
前記ローラ、前記挿入口を開閉する開閉部材およびカムフォロアを備え、支点軸を中心に揺動して前記ローラを前記ディスクガイドに対しディスクの厚み以下の間隔で対峙させた原揺動態位、前記ローラが前記ディスクガイドに沿わせて挿入されたディスクにより押し動かされたときの第１揺動態位、前記ローラが前記ディスクから離間させられた第２揺動態位に揺動態位を変えるローラベースと、
前記ローラベースを前記原揺動態位の位置に付勢する第１付勢手段と、
前記ローラベースが前記原揺動態位に位置するとき前記カムフォロアに当接して移動を阻止する当接部、前記ローラベースを前記第１揺動態位から前記第２揺動態位に変移させるカム部およびラックを備えたスライド部材と、
前記ローラベースが前記第１揺動態位に位置し、前記ローラベースに移動した前記スライド部材のラックに噛み合い該スライド部材を該ローラベース側に移動させるピニオンと、
前記スライド部材を前記ラックと前記ピニオンから離間する向きに付勢する第２付勢手段と
を備えたディスク再生装置。
【請求項２】
ローディング状態からイジェクト動作するときに、ラックと噛み合うピニオンの駆動によりスライド部材が移動させられ、前記ラックと前記ピニオンの噛み合いが外れた後、前記カムフォロアと係合して前記スライド部材を、前記ラックが前記ピニオンから外れた位置に復帰させる案内部を設けたことを特徴とする請求項１記載のディスク再生装置。
【発明の詳細な説明】
【技術分野】
【０００１】
この発明は、ディスク再生装置に関する。
【背景技術】
【０００２】
ＣＤ、ＤＶＤ等のディスクに情報を記録するディスク記録装置や、ディスクに記録した情報を再生するディスク再生装置等において、ディスクを挿入口からセンタリング位置まで水平移動させ、次いでターンテーブルまで下降させ、情報を記録或いは再生した後、再び搬送して挿入口まで戻すための手段としてディスクを搬送する機構が備えられている。
【０００３】
このディスクを搬送する機構には、ディスクの二重挿入を防止する開閉部材がディスクの水平進路に出没可能に設けられている。開閉部材は、ディスクの下面に接して回転してディスクを送るローラとは逆の位置決め運動をするように構成されている。つまり、ローラが水平進路にあるディスク下面に接して回転しセンタリング位置に向けて水平移送する際には、開閉部材はディスクの水平進路から下方に退避しており、ディスクが再生位置で回転するときにはローラはディスクの回転を妨げないように下方に退避し、そのとき開閉部材は水平進路の下方から水平進路を塞ぐ位置に移動する。
【０００４】
ローラと開閉部材は支点を中心に揺動可能なローラベースに設けられていて、スライド部材に設けたカムにより揺動位置が制御される。また、スライド部材にはラックが一体に設けれられており、このラックがピニオンと噛み合うことにより、ピニオンの駆動力を受けてスライド部材が移動し、同時にカムがローラベースを揺動させて、ローラ及び開閉部材の位置を変える。
【０００５】
ピニオンとローラは共通の駆動原で駆動される。このため、ローラがディスクに接して水平進路を搬送するときは駆動中のピニオンにラックが噛み合わないように、ばねでスライド部材を引いている。そして、ディスクが再生位置で回転するときに、適宜の手段を用いてばねの弾性に抗してスライド部材を動かし、ラックをピニオンに噛み合わせることで、ピニオンでスライド部材を駆動し、カムでローラベースを揺動させて、ローラをディスクから退避させる。これと同期して開閉部材が水平進路を塞ぐ位置に移動して、ディスク再生中でのディスクの二重挿入を防止する。
【０００６】
なお、カートリッジの光磁気ディスク装置への挿入の操作性を向上させる提案がある（例えば、特許文献１参照）。しかし、かかる文献にはスライド部材のラックとこれを駆動するピニオンとの不本意な噛み合いに基づく不具合およびその対策にかかる記述はない。
【０００７】
【特許文献１】特開平４−３３２９５５号公報
【発明の開示】
【発明が解決しようとする課題】
【０００８】
従来のディスク再生装置は、上記のようにスライド部材の移動防止機構はなく、ばねの力だけでラックとピニオンとの非噛み合い状態を維持していたため、ディスク再生装置が落下するなどの衝撃を受けるとばねに対抗してスライド部材が移動してしまい、不本意にラックとピニオンと噛み合うことがある。かかる場合には、ディスクのイジェクト動作をラックとピニオンとが非噛み合いの初期状態に復帰させるが、その動作途中に誤ってディスクを挿入した場合、ローラで搬送中のディスクに開閉部材が接触してディスクを傷つけてしまう。また、落下等の衝撃でスライド部材が移動しないように、ラックとピニオンの非噛み合い状態を維持するために、ばねの力を強くすると、スライド部材の動作負荷が増大して動作不良の原因となるという課題があった。
【０００９】
この発明は上記のような課題を解決するためになされたもので、スライド部材の不本意な移動を防止することにより、ラックとピニオンとの非噛み合い状態が維持されるようにして、開閉部材が挿入途中のディスクに干渉する事態を回避することができるディスク再生装置を提供することを目的とする。
【課題を解決するための手段】
【００１０】
この発明に係るディスク再生装置は、ディスク未挿入のもとで、スライド部材に設けた当接部にカムフォロアを当接させることでスライド部材を係止しラックとピニオンとの非噛み合い状態が維持されるようにして、開閉部材が挿入途中のディスクに干渉するのを回避し、ディスクが挿入されたときは、該ディスクの厚みで前記ローラベース部材が揺動されることにより前記当接部から前記カムフォロアが離間して前記ラックと前記ピニオンとの噛み合いが可能な範囲で前記スライド部材の移動を可能にした。
【発明の効果】
【００１１】
この発明によれば、既存の部材を利用した簡易な構成により、スライド部材の不本意な移動を防止することにより、ラックとピニオンとの非噛み合い状態が維持されるようにして、開閉部材によるディスクの損傷を回避できるディスク再生装置を提供できる。
【発明を実施するための最良の形態】
【００１２】
実施の形態１．
図１においてディスク再生装置５０は筐体状の本体フレーム５１に構成されている。本体フレームの正面の開口部はディスクを挿入する挿入口２であり、図２に示すようにこの挿入口２からディスク１を挿入し、或いは排出することができる。図１、図２における本体フレーム５１の左側面部を説明に必要な部材だけを取り出して示した図３において、挿入口２の左上方にはディスクの一方の面（以下、上面という）を支持するディスクガイド５２が配置されている。また、該ディスクガイド５２に対向してもう一つのガイド５６が配置されている。
【００１３】
図３において、ディスク未装着の状態では、ディスクガイド５２にローラ１０が弾性的に当接している。ローラ１０は図３における紙面と垂直な方向、図１、図２における左右方向に長さを有し、具体的な形状は図５に示すような細長状の弾性体ローラである。図５に示すように、ローラ１０は歯車Ｇ１と一体に回転しその軸部５３がローラベース１３に軸支されている。
【００１４】
ローラベース１３の左右端には支点軸５４が出ていて、この支点軸５４が本体フレームの左右側板部に揺動可能に支持されている。これにより、ローラベース１３は、その揺動態位を変えることができる。ローラベース１３にはそのほか、カムフォロア５５、開閉部材５７が備えられている。また、ローラベース１３と本体フレーム５１との間には第１付勢手段としての緊縮性のばね５８が掛けてある。
【００１５】
図３において、ばね５８の弾性によるローラベース１３の回動は、ローラ１０がディスクガイド５２に当接してこれを押圧することにより阻止されている。このとき、開閉部材５７はガイド５６の内側に退避してディスク１と干渉しない位置にある。また、カムフォロア５５はスライド部材３に形成された当接部３ｂに当接（係合）した位置にある。
【００１６】
図６に示すように、スライド部材３は、ディスク１の挿入方向である前後方向に長さを有する部材で、前側の端部には縦方向に対して傾斜した大傾斜面３ａと、この大傾斜面３ａにつづく縦方向に沿う面からなる当接部３ｂとからなるカム部３１を有する。また、左側に突出したストッパ部３ｃや、後側の端部に設けたばね用のフック３ｅなどを有している。
【００１７】
フック３ｅには図３に示すように第２付勢手段としての緊縮性のばね１４の一端側が掛けられている。ばね１４の他端側は図７に示すようにフレーム５１に掛けられていて、スライド部材３をローラベース１３から離間する向きに付勢している。スライド部材３は図示しない案内手段に案内されて前後方向に可動であり、ばね１４により引かれることによるスライド部材３の移動は図１に示すようにストッパ部３ｃを本体フレーム５１の側部に形成した開口５１ａの縁部に当接することにより阻止されている。この位置がスライド部材３のホームポジションである。図３はホームポジションに位置しているスライド部材３を示している。
【００１８】
図３において、ラック３ｄの前側端部と距離Ａだけ離間した位置にはこのラック３ｄと噛み合い回転することによりスライド部材３と共にカム部３１をローラベース１３に対して接離する前後方向に移動させるピニオン５９が本体フレーム５１に軸支されている。このピニオン５９と同心かつ一体的に駆動歯車Ｇ１２が設けられ、この駆動歯車Ｇ１２は図示しない駆動系を介して図８に示すモータ４と連結されている。この駆動歯車Ｇ１２は歯車Ｇ１とも共通に噛み合うようになっている。
【００１９】
仮に、カムフォロア５５と当接部３ｂとが距離Ａよりも大きく離間していたとすると、背景技術で述べたように、ディスク未装着の状態のもとで、当該ディスク再生装置が落下などの衝撃を受けた際に、スライド部材３が距離Ａを縮める向きに移動してラック３ｄとピニオン５９とが噛み合うことがあり、かかる場合に、誤って、電源を入れると同時にディスクを挿入した場合には、駆動歯車Ｇ１２が回転するのに伴い、スライド部材３が移動してカム部３１がカムフォロア５５を動かし、これによりローラベース１３が揺動させられて、ローラ１０がディスクガイド５２から離れる動きをし、同時に開閉部材５７はディスクガイド５２に近づいて挿入口２を閉じる動きをすることから、挿入途中にあるディスク面に開閉部材５７が干渉してディスクを傷つけるという不具合が生ずるが、本実施の形態では、このような事態は生じない。
【００２０】
ローラベース１３はカム部３１がカムフォロア５５と係合することによりその揺動態位を切り替えられるようになっていて、図３に示す状態では当接部３ｂにカムフォロア５５を当接又は近接させていて、このとき、ローラ１０をディスクガイド５２に対し当接若しくはディスク１の厚み以下の間隔で対峙させた原揺動態位にある。
【００２１】
この原揺動態位のもとでは、当接部３ｂにカムフォロア５５を当接又は近接させた状態にあるため、スライド部材３はラック３ｄとピニオン５９との噛み合いが可能になる程に移動することができない。
【００２２】
図３に示した原揺動態位のもとで、ディスクガイド５２とローラ１０との間にディスク１を差し入れると、図４に示すようにローラベース１３は支点軸５４を支点として揺動させられる。こうして、ローラ１０がディスクガイド５２に沿わせて挿入され、ディスク１により押し動かされたときのローラベース１３の揺動態位を第１揺動態位と称する。
【００２３】
このように、ディスクガイド５２とローラ１０間にディスク１が挿入されることによりローラ１０が原揺動態位から第１揺動態位に移行する際に、ローラ１０がディスク１の厚みで押動されこれに伴いローラベース１３が揺動することにより図４に示すように当接部３ｂからカムフォロア５５が離間してラック３ｄとピニオン５９との噛み合いが可能な範囲でスライド部材３の移動が可能になる。この状態においても、歯車Ｇ１と駆動歯車Ｇ１２との噛み合いは維持されている。
【００２４】
図４において、ディスク１が図示の位置よりも前側にあるセンタリング位置まで送られたとき、適宜の手段によりスライド部材３を強制的に移動させてラック３ｄとピニオン５９とを噛み合い状態にすれば、スライド部材３は駆動歯車Ｇ１２と共に回転するピニオンにより後側に向けて移動させられ、この移動と共に大傾斜面３ｂがカムフォロア５５を押し動かすことにより支点軸５４を中心にローラベース１３を揺動させてローラ１０をターンテーブル上に移動されるディスク１と干渉しないように移動させて、ディスク１がターンテーブル上に保持される動作を可能にする。同時に、開閉部材５７は挿入口２を塞ぐ位置まで移動して、ディスクの二重挿入を防止する。このように、大傾斜面３ａはローラ１０がターンテーブル上に移動されるディスクから離間させられる第２揺動態位にローラベース１３を切り替える機能も有する。
【００２５】
以下にディスクのローディング及びイジェクトの動作について説明する。
図３に示した状態のもとで、挿入口２からディスク１を挿入すると、図示していない検出手段によりディスク１の挿入が検知されて、図８に示したモータ４が駆動され、これに連結された駆動歯車Ｇ１２が回転してこれに噛み合う歯車Ｇ１共にローラ１０が回転する。こうして、ディスク１はばね５８の付勢力でディスクガイド５２押圧されつつ、ローラ１０の回転によりローディングされる方向に向けて搬送される。
【００２６】
ディスク１が搬送されると、図２において、該ディスク１の外周と当接しディスクの外周に沿って回動するディスクサイズ選択レバー１１が回動し、クランプアーム６に配置された図示していないディスクセンターリング部材を押圧し移動し、ディスクサイズに適合したセンタリング位置までディスク１の搬送が可能になる。
【００２７】
センタリング位置までディスクの搬送が完了すると、図示していないディスク完了検知部材が、ディスク搬送部材であるローラ１０を回避させるスライド部材３を押圧してラック３ｄとピニオン５９との噛み合いを可能にする所定の量、移動させる。これにより、ラック３ｄとピニオン５９とが噛み合い、スライド部材３がばね１４の弾性に抗して移動する。スライド部材３が移動すると、スライド部材３と一体のカム部３１がカムフォロア５５を押し動かし、ローラ１０をディスク１のローディングを妨げないように退避する。
【００２８】
また、スライド部材３が移動することに伴い、図２に示すクランプアーム６を降下させる第２スライド部材８と当接し、これを押圧することで第２スライド部材８が移動し、所定の位置まで移動すると、第２スライド部材８に設けられた図示しないラック部とディスク搬送動力伝達部が噛み合って移動する。
【００２９】
また、第２スライド部材８が移動すると、クランプアーム６が下降し、ディスク１をクランパー７と、図示されないターンテーブルで保持し、また、再生部を固着していた再生部ロック部材９が回動することにより再生部ロックが解除され、再生部が防振可能状態となる。
【００３０】
第２スライド部材８はローディング完了位置に配置された図示しない移動量検知手段によりディスク１がローディング完了位置まで移動したことが検知されると、モータ４が停止することによりディスク搬送動力伝達部５からの動力が停止し、ローディング動作が完了する。
【００３１】
次にイジェクト動作は、イジェクト指示を受けると、モータ４がイジェクト方向に回転し、ディスク搬送動力伝達部５からスライド部材３及び第２スライド部材８に動力が伝達され、スライド部材３及び第２スライド部材８が移動する。スライド部材３が移動するとクランプアーム６が上昇しクランパー７とターンテーブルへのディスクの保持が解除され、また、再生ロック部材９が回動し再生部をロックする。
【００３２】
その後、スライド部材３は、スライド部材３を付勢しているばね１４の力によりイジェクト完了位置まで移動する。ディスク１はディスク搬送動力伝達部５からローラ１０に伝達された動力により搬送され、図示していない検知手段によりイジェクト完了位置を検知し、モータ４が停止することによりディスク搬送力伝達部５からの動力が停止し、イジェクト動作が完了する。
【００３３】
本実施の形態では、図３において、距離Ａが確保された状態でカムフォロア５５に当接する当接部３ｂがスライド部材３に設けられ、イジェクト状態（ディスク挿入の待機状態）では装置が落下等の衝撃でスライド部材３が移動しようとした場合でも、スライド部材の当接部３ｂがローラベース１３の当接部５５（カムフォロア５５）と当接しスライド部材３は移動できず、スライド部材３のラック３ｄと動力伝達歯車（ピニオン５９）は噛み合わないため、ディスク挿入時の損傷を回避できる。
【００３４】
また、図４に示したようにディスク１がディスクガイド２とローラ１０間に挿入されると、ディスク１の厚みによりローラベース１３が回動し、当接部３ｂからカムフォロア５５が離間し、スライド部材３の移動が可能になる。
【００３５】
実施の形態２．
ローディング状態からイジェクト動作するときに、ラック３ｄと噛み合うピニオン５９の駆動によりスライド部材３が移動させられ、ラック３ｄとピニオン１０の噛み合いが外れた後、図９に示すように、ばね１４の弾性によりスライド部材３は前方向に移動し、カムフォロア５５を当接部３ｂに当接した位置に復帰させるのであるが、ばね１４の弾性が低下した場合、スライド部材３の反り、異物が挟まるなどによりスライド部材３にかかる抵抗が増加した場合には、スライド部材３が原位置（ストッパ３ｃが開口５１ａの縁に当接する位置、このとき同時にカムフォロア５５が当接部まで移動する）まで復帰できない場合がある。
【００３６】
図９に示したカム部３１の形状だと、大傾斜面３と当接部３ｂとの境界部が角形１５に突き出た形になっているので、カムフォロア５５の円滑な動きが制限される可能性がある。そこで、本実施の形態例では、図１０に示したように、大傾斜面３につづく傾斜面からなる滑らかな案内面部を以って当接部３ｂとした。
【００３７】
かかる構成により、異物がスライド部材３の進路に詰まるなどして移動抵抗が増したり、ばね１４の弾性が衰えた場合でも、ばね５８の弾性によりカムフォロア５５をカム面に係合させてスライド部材３を原位置まで確実に移動させることができる。
以上において、スライド部材３を付勢するばね１４の荷重を高く設定することなく、衝撃によるスライド部材３の移動を阻止でき、また、スライド部材３を原位置に確実に復帰させることができ、部品点数を増したりすることなく、簡易な構成により、動作の安定を得る。
【図面の簡単な説明】
【００３８】
【図１】ディスク再生装置の斜視図である。
【図２】ディスク挿入時におけるディスク再生装置の斜視図である。
【図３】ディスク再生装置の概略断面図である。
【図４】ディスク挿入時におけるディスク再生装置の概略断面図である。
【図５】ローラベースの分解斜視図である。
【図６】スライド部材の斜視図である。
【図７】ディスク再生装置の概略断面図である。
【図８】ディスク再生装置の斜視図である。
【図９】スライド部材の一部を説明した正面図である。
【図１０】スライド部材の一部を説明した正面図である。
【符号の説明】
【００３９】
３  スライド部材、３ｂ  当接部、３１  カム部、５５  カムフォロア。
【図１】
2006252607.tif 000003
【図２】
2006252607.tif 000004
【図３】
2006252607.tif 000005
【図４】
2006252607.tif 000006
【図５】
2006252607.tif 000007
【図６】
2006252607.tif 000008
【図７】
2006252607.tif 000009
【図８】
2006252607.tif 000010
【図９】
2006252607.tif 000011
【図１０】
2006252607.tif 000012